【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
長手方向軸線を有し、その前方端部において雌型又は雄型ルアー取付部にそれぞれ接続するようにされた雄型又は雌型ルアー取付部材であって、前記長手方向軸線とほぼ直交する周縁部を有する円錐状拘束面を含み、更に前記長手方向軸線とほぼ直交する環状面を含む、雄型又は雌型ルアー取付部材と、
中空の中央ルーメンと、内向きに突出する環状の平坦形状突出部と、前記円錐状拘束面の少なくとも一部を越えて前記ルアー取付部材の前方端部に向って軸方向に延びる本体とを含むロック部材と、
を備えるルアー取付コネクタ組立体であって、
前記コネクタ組立体を組立てる際、前記ロック部材は、前記突出部が前記円錐状拘束面上にスナップ嵌合されながら、前記ルアー取付部材の後方端部から該取付部材の前記前方端部に向って移動することができ、
前記突出部は、接続利用時に押込み停止部として前記環状面と係合するようにされていることを特徴とするルアー取付コネクタ組立体。
【請求項２】
前記環状面が、前記平坦形状突出部の対応する環状面と均一に係合することを特徴とする請求項１に記載のルアー取付コネクタ組立体。
【請求項３】
前記周縁部が、前記平坦形状突出部の対応する環状面と均一に係合することを特徴とする請求項１に記載のルアー取付コネクタ組立体。
【請求項４】
前記ロック部材が、人の親指の指紋の形状に近い窪みを有するキャビティグリップを含むことを特徴とする請求項１に記載のルアー取付コネクタ組立体。
【請求項５】
前記ロック部材が羽根状ハンドルを含むことを特徴とする請求項１に記載のルアー取付コネクタ組立体。
【請求項６】
前記羽根状ハンドルが、前記ロック部材の長手方向長さの大部分にわたって延びることを特徴とする請求項５に記載のルアー取付コネクタ組立体。
【請求項７】
前記羽根状ハンドルが、前記ロック部材のほぼ一方の長手方向端部から半径方向外向きに延びることを特徴とする請求項５に記載のルアー取付コネクタ組立体。
【請求項８】
前記ロック部材が起伏のあるグリップを含むことを特徴とする請求項１に記載のルアー取付コネクタ組立体。
【請求項９】
前記起伏のあるグリップが１０個の波状部を含むことを特徴とする請求項８に記載のルアー取付コネクタ組立体。
【請求項１０】
前記ロック部材が骨格状ハンドルを含むことを特徴とする請求項１に記載のルアー取付コネクタ組立体。
【請求項１１】
前記ロック部材が、骨格状ハンドルと起伏のあるグリップの両方を含むことを特徴とする請求項１に記載のルアー取付コネクタ組立体。
【請求項１２】
前記ロック部材が、羽根状ハンドルと起伏のあるグリップの両方を含むことを特徴とする請求項１に記載のルアー取付コネクタ組立体。
【請求項１３】
前記ロック部材が、前記ルアー取付部材上に回転可能に取り付けられることを特徴とする請求項１に記載のルアー取付コネクタ組立体。
【請求項１４】
ロック部材及び雄型又は雌型ルアー取付部材を備えるルアー取付コネクタ組立体を組み立てる方法であって、
前記雄型又は雌型ルアー取付部材の内の一方の長手方向軸線とほぼ直交する周縁部と、前記長手方向軸線とほぼ直交する環状面とを有する円錐状拘束面とを備えた雄型又は雌型ルアー取付部材の内の一方を準備する段階と、
中空の中央ルーメンと、内向きに突出する環状の平坦形状突出部と、前記ロック部材が前記雄型又は雌型ルアー取付部材の内の一方に取り付けられた時に、前記円錐状拘束面の少なくとも一部を越えて前記雄型又は雌型ルアー取付部材の内の一方の前方端部に向って軸方向に延びる本体とを備えるロック部材を準備する段階と、
ロック部材を、前記突出部が前記円錐状拘束面上をスナップ嵌合しながら、前記雄型又は雌型ルアー取付部材の内の一方の後方端部から前記雄型又は雌型ルアー取付部材の内の一方に取り付ける段階と、
を含み、
前記突出部は、接続利用時に押込み停止部として前記環状面と係合するようにされているルアー取付コネクター組立体を組立てる方法。
【請求項１５】
前記環状面が、前記平坦形状突出部の対応する環状面と均一に係合する請求項１４に記載のルアー取付コネクタ組立体を組み立てる方法。
【請求項１６】
前記周縁部が、前記平坦形状突出部の対応する環状面と均一に係合する請求項１４に記載のルアー取付コネクタ組立体を組み立てる方法。
【請求項１７】
前記ロック部材が羽根状ハンドルを含むことを特徴とする請求項１４に記載のルアー取付コネクタ組立体を組み立てる方法。
【請求項１８】
前記ロック部材が起伏のあるグリップを含むことを特徴とする請求項１４に記載のルアー取付コネクタ組立体を組み立てる方法。
【請求項１９】
前記ロック部材が骨格状ハンドルを含むことを特徴とする請求項１４に記載のルアー取付コネクタ組立体を組み立てる方法。
【請求項２０】
前記ロック部材が、前記雄型又は雌型ルアー取付部材の内の一方に回転可能に取り付けられることを特徴とする請求項１４に記載のルアー取付コネクタ組立体を組み立てる方法。
【手続補正２】
【補正対象書類名】明細書
【補正対象項目名】全文
【補正方法】変更
【補正の内容】
【発明の詳細な説明】
【発明の名称】ルアー取付接続を改善するための方法及び装置
【技術分野】
【０００１】
（関連出願の参照）
本出願は、名称「ルアー取付コネクタを改善する方法及び装置」の２００４年３月２６日に出願された仮出願第６０／５５６，５５９号に対する恩恵を主張する。
（技術分野）
本発明は、全体的にはルアー取付コネクタ組立体に関する。より詳細には、本発明は、雄型ルアー取付部材上に取り付けられたロック部材を有する改良されたルアー取付コネクタの方法及び装置に関する。
【背景技術】
【０００２】
ルアー取付又はルアーロック接続は、医療用途又は外科用途の流体流導管で利用されている。典型的には、雄型部材は、僅かに先細になった本体を有し、雌型部材と流体連通して接続され、該雌型部材は、雄型部材を受け入れるため同じ先細のボアを有する。接続装置又はロック部材は通常、内部にねじ山のあるカラーを有する。ロック部材は更に、雄型部材の本体上に取り付けることができる。
【０００３】
ロック部材の１つの目的は、雄型と雌型部材との間の流体漏出を防止することである。ロック部材の別の目的は、雄型部材と雌型部材との間の接続を維持することである。
【０００４】
しかしながら、従来のルアー取付コネクタのサイズは極めて小さい。従って、従来設計のルアー取付コネクタでは、オペレータがルアー取付コネクタ組立体の手動制御部を保持し、更に雄型及び雌型部材の周りでロック部材を手で回すことは困難な可能性がある。
【０００５】
加えて、従来のルアー取付コネクタ組立体は、ロック部材を後部から雄型部材上に取り付けることによって組み立てられる場合が多い。雄型部材は、ロック部材が雄型部材上に取り付けられた後に該ロック部材の長手方向の移動を制限する拘束機構を有することができる。幾つかの従来設計においては、ロック部材は、拘束機構と係合するための平坦形状突出部を有する。このような組立体においては、ロック部材は、拘束機構を越えて平坦形状突出部を押し進めることにより雄型部材上に取り付けることができる。
【０００６】
しかしながら、平坦形状突出部が後部から拘束機構を越えて滑動すると、雄型部材がロック部材に加圧力を加える。発生した加圧力は、平坦形状突出部の半径方向の高さを減少させる傾向がある。更に、平坦形状突出部は、ロック部材がその後意図することなく拘束機構を越えて後方に「ジャンプ」することができないようにするために、発生した加圧力の結果として生じる恒久的可塑変形がある場合でもこれを十分制限する程度の弾性を有する必要がある。このように、従来の設計は、ロック部材と雄型ルアー取付部材が共に結合された後の可塑変形と、ロック部材と雄型ルアー取付部材との意図しない分離を生じる可能性のある加圧力を生じる平坦形状突出部を開示している。
【０００７】
【特許文献１】米国仮出願第６０／５５６，５５９号公報
【発明の開示】
【０００８】
本発明は、上述の欠点の１つ又はそれ以上を軽減する。
本発明は、互いに関連する個々の部材の回転運動と共に、ルアー取付コネクタ組立体の操作性及び制御性を高める方法及び装置を提供する。更に本発明は、ロック部材と雄型ルアー取付部材とが互いに結合された後に、該ロック部材が雄型ルアー取付部材から偶発的に分離されることになる可能性を低減する方法及び装置を提供することができる。
【０００９】
本発明の１つの態様において、ルアー取付コネクタ組立体の操作性及び制御性を高める装置が提供される。本ルアー取付コネクタ組立体は、雄型ルアー取付部材と、キャビティグリップ、骨格状ハンドル、羽根状ハンドル、及び起伏のあるグリップの内の少なくとも１つを有するロック部材とを含むことができる。
【００１０】
本発明の別の態様において、ロック部材が雄型ルアー取付部材から偶発的に分離される可能性を低減する装置が提供される。本ルアー取付コネクタ組立体は、雄型ルアー取付部材と、雄型ルアー取付部材上に取り付けられるロック部材とを含むことができる。雄型ルアー取付部材は、拘束面を有することができ、ロック部材は、平坦形状突出部を有することができる。
【００１１】
本発明の更に別の態様において、ロック部材が雄型ルアー取付部材から偶発的に分離される可能性を低減することのできるルアー取付部材を組み立てる方法が提供される。本方法は、円錐状拘束機構を有する雄型ルアー取付部材を準備する段階と、平坦形状突出部を有するロック部材を準備する段階とを含むことができる。本方法は、ロック部材を雄型ルアー取付部材上に取り付ける段階も含むことができる。
【発明を実施するための最良の形態】
【００１２】
本発明の利点は、例証として図示され説明された本発明の好ましい実施形態に関する以下の説明から当業者には一層明らかになるであろう。理解されるように、本発明は、他の異なる実施形態が可能であり、その詳細は種々の点で修正することができる。従って、本図面及び説明は、本質的に例証とみなすべきであり、限定とみなすべきではない。
【００１３】
提供される方法及び装置は、互いに関連する個々の部材の回転運動を強化すると共に、ルアー取付コネクタ組立体の操作性及び制御性を有利に高めることができる。提供される実施形態においては、ロック部材上に骨格状ハンドル、羽根状ハンドル、起伏のあるグリップ、又はキャビティグリップを設けて、ルアー取付コネクタ組立体の手動制御性及び操作性を高めることができる。更に、ロック部材が雄型ルアー取付部材上に取り付けられた時にロック部材が受ける加圧力の大きさを低減することのできる方法及び装置が提供される。提供される実施形態においては、ルアー取付コネクタ組立体の様々な部材は、ロック部材が取付られる雄型ルアー取付部材から偶発的に分離されることになる可能性を低減するような方法で一体化することができる。
【００１４】
図１は、ルアー取付コネクタ組立体１０の長手方向断面図を示す。ルアー取付コネクタ組立体１０は、雄型流体流導管１２を雌型流体流導管１４に接続するのに用いることができる。雄型ルアー取付部材１６を雌型ルアー取付部材１８内に挿入すると、雄型流体流導管１２を雌型流体流導管１４と接続することができる。雄型ルアー取付部材１６と雌型ルアー取付部材１８間の接続は、ロック部材２０によって維持することができる。図示したロック部材２０は、雄型ルアー取付部材１６上に回転可能に取り付けられてこれを取り囲むことができる。ルアー取付コネクタ組立体１０は、より少ない構成要素又は追加した構成要素を備えたものを含む他の構成を有することができる。
【００１５】
図１に示すように、雄型ルアー取付部材１６の遠位端は、僅かに先細の本体２２を有することができる。雌型ルアー取付部材１８の近位端は、僅かに先細のボア２４を有することができる。雄型ルアー取付部材１６の僅かに先細の本体２２は、雌型ルアー取付部材１８の僅かに先細のボア２４のテーパ角に対応する角度で先細にすることができる。僅かに先細の本体２２の外表面は、僅かに先細のボア２４と均一に嵌合することができる。僅かに先細の本体２２と僅かに先細のボア２４との結合の結果、流体流導管からの流体の漏出を防ぐ密封又は密接続になることができる。
【００１６】
更に、雄型ルアー取付部材１６の遠位端は、円筒状導管２６を有することができる。円筒状導管２６は、雄型流体流導管１２の長手方向軸線に直交する均一な断面を有する環状面を有することができる。１つの態様において、円筒状導管２６は、約２ｍｍの内径を有することができる。
【００１７】
図２は、雄型ルアー取付部材１６の長手方向の拡大図である。雄型ルアー取付部材１６は、雄型流体流導管１２、回転マウント２８、拘束面３６、遠位環状面４２、及び近位円筒状本体４４を含むことができる。雄型ルアー取付部材１６は、より少ない構成要素又は追加した構成要素を備えたものを含む他の構成を有することができる。１つの態様において、雄型ルアー取付部材１６は、約２６ｍｍの長手方向長さを有することができる。
【００１８】
図２に示すように、回転マウント２８の長手方向断面は、雄型ルアー取付部材１６のほぼ環状の外面に凹部又は窪みを有することができる。回転マウント２８は、遠位環状面３０、近位環状面３２、及び回転面３４を含むことができる。
【００１９】
遠位環状面３０は、雄型流体流導管１２の長手方向軸線とほぼ直交する滑らかな面とすることができる。近位環状面３２は、雄型流体流導管１２の長手方向軸線とほぼ直交する滑らかな面とすることができる。更に、遠位環状面３０及び近位環状面３２は両方ともリング形状とすることができる。
【００２０】
回転面３４は、円筒形状とすることができ、滑らかな外面を有することができる。回転面３４は、遠位環状面３０及び近位環状面３２の両方と連通することができる。回転面３４の外面は、雄型流体流導管１２の長手方向軸線とほぼ平行とすることができる。１つの態様において、回転面３４の長手方向長さは約１．６ｍｍ、回転面３４の直径は約４．８ｍｍとすることができる。
【００２１】
回転面３４と遠位環状面３０との間の交角は約９０°とすることができる。更に、回転面３４と近位環状面３２との間の交角は約９０°とすることができる。図２に示すように、遠位環状面３０、近位環状面３２、及び回転面３４は、雄型ルアー取付部材１６の外面にほぼＵ字形の凹部又は窪みを形成することができる。
【００２２】
更に、雄型ルアー取付部材１６は、拘束面３６を有することができる。拘束面３６は、先細の表面３８を有し、近位環状面３２を含むことができる。先細の表面３８は、近位環状面３２からワッシャ末端点４０まで近位方向に延びることができる。先細の表面３８は、全体的に滑らかな円錐形状とすることができる。拘束面３６は、近位環状面３２からワッシャ末端点４０まで減少する、雄型流体流導管１２の長手方向軸線と直交する断面を有することができる。１つの態様において、拘束面３６は、近位環状面３２で約５．３ｍｍの直径を有することができ、先細の表面３８は、約３ｍｍの長手方向長さを有することができる。
【００２３】
雄型ルアー取付部材１６はまた、遠位環状面４２を有することができる。遠位環状面４２は、全体的に滑らかとすることができ、円筒形状とすることができる。遠位環状面４２の外面は、雄型流体流導管１２の長手方向軸線とほぼ平行とすることができる。遠位環状面４２は、ほぼ９０°の角度で遠位環状面３０と係合することができる。１つの態様において、環状面４２は、直径が約６．３ｍｍで長手方向長さが約２ｍｍとすることができる。
【００２４】
更に、雄型ルアー取付部材１６は、ワッシャ末端点４０から雄型部材末端点４６まで延びる円筒状本体４４を有することができる。円筒状本体４４は、環状形状とすることができる。円筒状本体４４の外面は、全体的に滑らかで雄型流体流導管１２の長手方向軸線とほぼ平行とすることができる。円筒状本体４４の外面の断面積はほぼ一定とすることができる。
【００２５】
図３は、ロック部材２０の長手方向断面図である。ロック部材２０は、平坦形状突出部５０、遠位円筒状面５８、近位円筒状面６０、内ネジ６６、右ハンドル６８、及び左ハンドル７０を含むことができる。ロック部材２０は、より少ない構成要素又は追加した構成要素を備えたものを含む他の構成を有することができる。１つの態様において、ロック部材２０は、約３４ｍｍの長手方向長さを有することができる。
【００２６】
図３に示すように、平坦形状突出部５０の長手方向断面は、ロック部材２０の環状内面からの外向き突起とすることができる。平坦形状突出部５０は、遠位突出面５２、近位突出面５４、及び回転突出面５６を含むことができる。
【００２７】
遠位突出面５２は、ロック部材２０の長手方向軸線とほぼ直交する滑らかな面とすることができる。近位突出面５４は、ロック部材２０の長手方向軸線とほぼ直交する滑らかな面とすることができる。遠位突出面５２及び近位突出面５４は共に環状形状とすることができる。
【００２８】
回転突出面５６は、ほぼ円筒形状とすることができる。回転突出面５６の内面は、全体的に滑らかでロック部材２０の長手方向軸線とほぼ平行とすることができる。回転突出面５６は、遠位突出面５２及び近位突出面５４の両方と連通することができる。１つの態様において、回転突出面５６は、約１．４ｍｍの長手方向長さを有し、約５．１ｍｍの内径を有することができる。
【００２９】
回転突出面５６と遠位突出面５２との間の交角は、約９０°とすることができる。更に、回転突出面５６と近位突出面５４との間の交角は、約９０°とすることができる。図３に示すように、遠位突出面５２、回転面５６、及び近位突出面５４は、ロック部材２０の内面からのほぼＵ字形又は平坦形状の隆起部を形成することができる。
【００３０】
ロック部材は、２つの円筒状内面、遠位円筒状面５８、及び近位円筒状面６０を含むことができる。遠位円筒状面５８は、全体的に滑らかで環状形状である。遠位円筒状面５８と遠位突出面５２との間の交角はほぼ９０°とすることができる。１つの態様において、遠位円筒状面５８は、約２ｍｍの長手方向長さを有し、約７ｍｍの内径を有することができる。
【００３１】
近位円筒状面６０は、全体的に滑らかで僅かに円錐状の形状とすることができる。近位円筒状面６０は、突出縁部６２からロック部材末端点６４まで延びることができる。近位円筒状面６０は、突出縁部６２において近位突出面５４と交差することができる。近位円筒状面６０と近位突出面５４との間の交角は、約９０°とすることができる。１つの態様において、近位円筒状面６０は、突出縁部６２において約５．７ｍｍの内径を有することができ、ロック部材末端点６４において約６．６ｍｍの内径を有することができる。
【００３２】
図３に更に示すように、ロック部材２０は内ネジ６６を含むことができる。内ネジ６６は、ロック部材２０と雌型ルアー取付部材１８（図示せず）との間にロック係合を形成することができる。
【００３３】
更に、ロック部材２０は、右ハンドル６８及び左ハンドル７０を有することができる。図３は、右及び左ハンドル６８、７０の長手方向断面を示している。右及び左ハンドル６８、７０両方の長手方向断面は、魚の背びれと同様の形状を有することができる。
【００３４】
ロック部材２０は、遠位端面７２、近位端面７４、及び中間点７６を有することができる。１つの態様において、遠位端面７２から中間点７６までの距離は、約１４ｍｍとすることができる。
【００３５】
中間点７６から近位端面７４まで、右及び左ハンドル６８、７０は、ロック部材２０の外面から半径方向に突出することができる。右ハンドル６８の長手方向断面の外面７８及び左ハンドル７０の長手方向断面の外面８０は、各々滑らかで湾曲とすることができる。１つの態様において、中間点７６から近位端面７４までの距離は、約２０ｍｍとすることができる。
【００３６】
右及び左ハンドル６８、７０のロック部材２０から外向きの延長部の大きさは、右及び左頂点８２、８４までそれぞれ延びることができる。右及び左ハンドル６８、７０両方の近位端面７４における長手方向断面の外表面７８、８０は、ロック部材２０の長手方向軸線に対して垂直とすることができる。右及び左頂点８２、８４から近位端面７４まで、右及び左ハンドル６８、７０の長手方向断面の外表面７８、８０は、各々９０°の円弧に沿って湾曲することができる。１つの態様において、右頂点８２から左頂点８４までの距離は、約１９ｍｍとすることができる。
【００３７】
図４は、ロック部材２０が後部から雄型ルアー取付部材１６上に取り付けられる前のロック部材２０及び雄型ルアー取付部材１６の一実施形態を示している。ロック部材２０は、右骨格状ハンドル８６、左骨格状ハンドル８８、起伏のあるグリップ９８、キャビティグリップ１０４、及び内部キャビティ１０６を含むことができる。雄型ルアー取付部材１６は、雄型流体流導管１２、僅かに先細の本体２２、回転面３４、先細の表面３８、遠位環状面４２、及び円筒状本体４４を含むことができる。雄型ルアー取付部材１６及びロック部材２０は、より少ない構成要素又は追加した構成要素を備えたものを含む他の構成を有することができる。
【００３８】
ロック部材２０は、２つの骨格状ハンドルすなわち右骨格状ハンドル８６及び左骨格状ハンドル８８を有することができる。右骨格状ハンドル８６及び左骨格状ハンドル８８は各々、魚の背びれと同様の形状を有することができる。更に、右骨格状ハンドル８６及び左骨格状ハンドル８８は各々、空隙又は中空開口９０、９２を有することができる。右空隙９０及び左空隙９２の両方は、洋梨の半部分と同様の外側形状を有することができる。
【００３９】
右骨格状ハンドル８６及び左骨格状ハンドル８８は各々、操作及び回転操作中に各ハンドルをそれぞれ支持する支持部分を有することができる。右支持部分９４及び左支持部分９６は、それぞれ起伏のあるグリップ９８の近位端から右空隙９０及び左空隙９２の遠位端まで延びることができる。操作時、右骨格状ハンドル８６及び左骨格状ハンドル８８は各々、オペレータによるロック部材２０の操作及び制御維持並びに回転を助けることができる。
【００４０】
１つの態様において、ロック部材２０は、起伏のあるグリップ９８を有することができる。起伏のあるグリップ９８は、一連の波頭部１００を含むことができる。波頭部１００間には、波底部１０２を備えることができる。各波頭部１００及び波底部１０２は、起伏のあるグリップ９８の長手方向長さのほぼ全長にわたって延びることができる。操作時、起伏のあるグリップ９８は、オペレータによるロック部材２０の操作及び制御維持並びに回転を助けることができる。
【００４１】
ロック部材２０は、外部キャビティグリップ１０４を有することができる。外部キャビティグリップ１０４は、ロック部材２０の外表面における窪みとすることができる。外部キャビティグリップ１０４は、人の親指の指紋と同様の形状を有することができる。操作時、外部キャビティグリップ１０４は、オペレータによるロック部材２０の操作及び制御維持並びに回転を助けることができる。
【００４２】
ロック部材２０は、雄型ルアー取付部材１６を取り囲むためのほぼ円筒状の内部キャビティ１０６を有することができる。内部キャビティ１０６は、ロック部材２０の全長にわたって延びることができる。
【００４３】
図４に示すように、雄型ルアー取付部材１６の遠位端は、僅かに先細の本体２２を有することができる。僅かに先細の本体２２は、環状で円錐状の外表面を有することができる。雄型流体流導管１２は、雄型ルアー取付部材１６の全長にわたって延びることができる。
【００４４】
雄型ルアー取付部材１６は、遠位環状面４２を有することができる。遠位環状面４２は、滑らかな円筒状外面を有することができる。雄型ルアー取付部材１６は、同様に滑らかな円筒状外面を持つ回転面３４を有することができる。遠位環状面４２の外径は、図示のように回転面３４の外径よりも大きくすることができる。
【００４５】
更に、雄型ルアー取付部材１６は、滑らかな円錐状の外面を有することができる先細の表面３８を有することができる。雄型ルアー取付部材１６はまた、一方の端部に位置する円筒状本体４４を有することができる。円筒状本体４４は、環状の外面と、雄型流体流導管１２の長手方向軸線と直交する均一な断面とを有することができる。
【００４６】
図４は、雄型ルアー取付部材１６をロック部材２０の内部キャビティ１０６内に滑入させることにより、ロック部材２０を雄型ルアー取付部材１６上に後部から取り付けることができることを示している。雄型ルアー取付部材１６がロック部材２０を越えて滑動すると、最終的にはロック部材２０の平坦形状突出部５０（図示せず）は、雄型ルアー取付部材１６の先細の表面３８と接触することができる。雄型ルアー取付部材１６の遠位端に向って長手方向に力を加えることにより、ロック部材２０の平坦形状突出部５０は、拘束面３６（図示せず）の先細の表面３８を越えて滑動することができる。先細の表面３８を越えて滑動した後、平坦形状突出部５０は、回転マウント２８（図示せず）のＵ字形凹部内にスナップ嵌合することができる。
【００４７】
右骨格状ハンドル８６及び左骨格状ハンドル８８を用いて、ロック部材２０を雄型ルアー取付部材１６に対して時計回り又は反時計周りの何れの方向にも回転させることができる。更に、起伏のあるグリップ９８又は外部キャビティグリップ１０４を用いてもロック部材２０を雄型ルアー取付部材１６に対して時計回り又は反時計周りの何れの方向にも回転させることができる。
【００４８】
図５は、ロック部材２０の断面図を示している。ロック部材２０は、右骨格状ハンドル８６、左骨格状ハンドル８８、波頭部１００、波底部１０２、及び内部円筒状キャビティ１０６を含むことができる。ロック部材２０は、より少ない構成要素又は追加した構成要素を備えたものを含む他の構成を有することができる。
【００４９】
右骨格状ハンドル８６は、右上面１０８及び右下面１１０を有することができる。左骨格状ハンドル８８は、左上面１１２及び左下面１１４を有することができる。左右の上面及び下面１０８、１１０、１１２、１１４の各々は、全体的に滑らかとすることができる。
【００５０】
更に、右骨格状ハンドル８６は、右最頂面１１６を有することができ、また左骨格状ハンドル８８は、左最頂面１１８を有することができる。右最頂面１１６及び左最頂面１１８は共に全体的に滑らかとすることができる。右上面１０８、右最頂面１１６、及び右下面１１０の並置は、右骨格状ハンドル８６のほぼＵ字形の外面を形成することができる。左上面１１２、左最頂面１１８、及び左下面１１４の並置は、左骨格状ハンドル８８のほぼＵ字形状の外面を形成することができる。
【００５１】
ロック部材２０は、一連の波頭部１００及び波底部１０２を有することができる。各波底部１０２は、湾曲させることができ、部分的楕円形状を有することができる。各波頭部１００は湾曲させることができる。１つの態様において、１０個の波頭部１００と１０個の波底部１０２が存在することができる。更に、ロック部材２０は、その全長にわたって延びる内部キャビティ１０６を有することができる。
【００５２】
図６は、ロック部材２０が雄型ルアー取付部材１６上に取り付けられた後の本発明の１つの態様を示している。雄型ルアー取付部材１６及びロック部材２０は、より少ない構成要素又は追加した構成要素を備えたものを含む他の構成を有することができる。
【００５３】
図７は、ロック部材１２０の１つの代替の実施形態を示している。ロック部材１２０は、起伏のあるグリップ９８を含むことができるが、羽根状ハンドル（図示せず）、骨格状ハンドル８６、８８（図示せず）、又はキャビティグリップ１０４（図示せず）は含まないとすることができる。ロック部材１２０は、より少ない構成要素又は追加した構成要素を備えたものを含む他の構成を有することができる。
【００５４】
図８は、ロック部材２２０別の代替の実施形態を示している。ロック部材２２０は、キャビティグリップ１０４を含むことができるが、羽根状ハンドル（図示せず）、骨格状ハンドル８６、８８（図示せず）、又は起伏のあるグリップ９８（図示せず）は含まないとすることができる。ロック部材２２０は、より少ない構成要素又は追加した構成要素を備えたものを含む他の構成を有することができる。
【００５５】
図９は、ロック部材３２０の別の代替の実施形態を示している。ロック部材３２０は、１対の骨格状ハンドル８６、８８を含むことができるが、中実の羽根状ハンドル（図示せず）、起伏のあるグリップ９８（図示せず）、又はキャビティグリップ１０４（図示せず）は含まない。ロック部材３２０は、より少ない構成要素又は追加した構成要素を備えたものを含む他の構成を有することができる。
【００５６】
図１０は、ロック部材４２０の別の代替の実施形態を示している。ロック部材４２０は、１対の中実の羽根状ハンドル１２２、１２４を含むことができるが、骨格状ハンドル８６、８８（図示せず）、起伏のあるグリップ９８（図示せず）、又はキャビティグリップ１０４（図示せず）は含まない。右及び左羽根状ハンドル１２２、１２４は、空きスペースのない中実の内部本体を有することができる。ロック部材４２０は、より少ない構成要素又は追加した構成要素を備えたものを含む他の構成を有することができる。
【００５７】
操作時、ロック部材２０を雄型ルアー取付部材１６上に取り付けて、雄及び雌型ルアー取付部材１６、１８を互いにロックした後、ルアー取付組立体１０が雄型及び雌型ルアー取付部材１６、１８を分離させようとする長手方向応力を受けたときに、ロック部材２０の遠位突出面５２は、雄型ルアー取付部材１６の遠位環状面３０と係合することができる。遠位突出面５２との遠位環状面３０の結合は、雄型ルアー取付部材１６と雌型ルアー取付部材１８とを流体連通した状態で維持する積極的な停止部を実現することができる。
【００５８】
更に、拘束面３６は、ロック部材２０が雄型ルアー取付部材１６上にスナップ嵌合した後に、ロック部材２０が雄型ルアー取付部材１６の長手方向軸線に沿って実質的に移動するのを防止することができる。ロック部材２０と雄型ルアー取付部材１６との偶発的な分離に導く傾向のあるあらゆる長手方向の力によって、平坦形状突出部５０の近位突出面５４を拘束面３６の近位環状面３２と係合させることができる。近位突出面５４との近位環状面３２の結合は、回転マウント２８にスナップ嵌合した平坦形状突出部５０を保持し、ロック部材２０の雄型ルアー取付部材１６からの偶発的な分離を防ぐ停止部を実現することができる。
【００５９】
ロック部材２０が雄型ルアー取付部材１６上に取り付けられた後、ロック部材２０を時計回り方向に回転させることによりロック部材２０を雌型ルアー取付部材１８上に締結することができ、反時計回り方向に回転させることにより、ロック部材２０と雌型ルアー取付部材１８との間の接続を緩めることができる。１つの態様において、ロック部材２０と雄型ルアー取付部材１６との可能な接触面間には締まり嵌めとは対照的に隙間嵌めだけが存在するものとすることができる。
【００６０】
本発明はまた、ルアー取付部材の組立法を開示する。本方法は、ロック部材２０と雄型ルアー取付部材１６とが互いに結合された後は、ロック部材２０が雄型ルアー取付部材１６から偶発的に分離するのを防止することができる。本方法は、雄型ルアー取付部材１６とロック部材２０とを準備する段階を含むことができる。雄型ルアー取付部材１６は、拘束面３６を含むことができる。拘束面３６は、雄型流体流導管１２の長手方向軸線とほぼ直交する周縁部を有することができ、更に先細の表面３８を有することができる。
【００６１】
ロック部材２０は、平坦形状突出部５０と、円錐状の拘束面３６の少なくとも一部を越え雄型ルアー取付部材１６の近位端に向って軸方向に延びる本体部とを有することができ、雄型ルアー取付部材１６の近位端は僅かに先細の本体２２とは反対側にある。ロック部材２０は、雄型ルアー取付部材１６の後部から雄型ルアー取付部材１６上に取り付けることができる。ロック部材２０はまた、雄型ルアー取付部材１６上に回転可能に取り付けることもできる。
【００６２】
ロック部材２０の平坦形状突出部５０は、ロック部材２０の長手方向軸線とほぼ直交する近位突出面５４を有することができる。近位突出面５４は、雄型ルアー取付部材１６の回転マウント２８の近位環状面３２と均一に係合することができる。操作時、ロック部材２０と雄型ルアー取付部材１６とを分離させる傾向にある張力が加えられた時に、ロック部材２０及び雄型ルアー取付部材１６の対応する環状面５４、３２が係合し、従って、ルアー取付組立体部材の偶発的な分離が阻止される。本方法はまた、平坦形状突出部５０が拘束面３６を越えて滑動して回転マウント２８にスナップ嵌合したときの平坦形状突出部５０が受ける加圧力を低減し、その結果ロック部材２０が雄型ルアー取付部材１６に結合するようになる。更に、本方法は、より少数の又は追加的な動作を含むことができ、これらの動作は、当業者には装置の様々な態様に関する上記の説明から明らかであろう。
【００６３】
更に本方法は、ルアー取付コネクタ組立体１０の部材の操作性及び制御性を高めることができる。本方法は、雄型ルアー取付部材１６とロック部材２０とを準備する段階を含むことができる。本方法はまた、ロック部材２０を雄型ルアー取付部材１６上に回転可能に取り付ける段階を含む。
【００６４】
本方法は、骨格状ハンドル８６、８８、起伏のあるグリップ９８、キャビティグリップ１０４、及び羽根状ハンドル１２２、１２４の内の少なくとも１つを含むロック部材２０を準備する段階を含むことができる。羽根状ハンドル１２２、１２４は、ほぼ魚の背びれの形状を有することができる。キャビティグリップ１０４は、ほぼ人の親指の指紋の形状を有することができる。骨格状ハンドル８６、８８、起伏のあるグリップ９８、キャビティグリップ１０４、及び羽根状ハンドル１２２、１２４は全て、ルアー取付コネクタ組立体の部材の操作性及び制御性を高める。更に、本方法は、より少数の又は追加的な動作を含むことができ、これらの動作は、装置の様々な態様に関する上記の説明から当業者には明らかであろう。
【００６５】
本発明の好ましい実施形態を説明してきたが、本発明は、これらに限定されず、本発明から逸脱することなく変更を行い得る点を理解すべきである。本発明の範囲は、添付の請求項によって定義され、文言上又は等価物により請求項の意味する範囲内にある全ての装置は、本発明の範囲内に包含されるものとする。
【００６６】
従って、上記の詳細な説明は、限定ではなく例証と見なされるべきであり、全ての均等物を含む添付の請求項は本発明の精神及び範囲を定めるものとされることを理解すべきである。
【図面の簡単な説明】
【００６７】
【図１】本発明の装置の一実施形態の長手方向断面図である。
【図２】本発明の雄型ルアー取付部材の一実施形態の長手方向拡大図である。
【図３】本発明のロック部材の一実施形態の長手方向断面図である。
【図４】組立てを行う前の本発明のロック部材及び雄型ルアー取付部材の一実施形態の斜視図である。
【図５】本発明のロック部材の一実施形態の斜視図である。
【図６】ロック部材が雄型ルアー取付部材上に取付られた後の本発明の一実施形態の斜視図である。
【図７】ロック部材の別の実施形態である。
【図８】ロック部材の別の実施形態である。
【図９】ロック部材の別の実施形態である。
【図１０】ロック部材の別の実施形態である。